(57)【要約】      （修正有）【課題】モンキーレンチの柄の部分のデザインや形状により従来のホルダーでは収まらないことから、柄ではなくヘッド部分を収めるモンキーレンチホルダーの提供。【解決手段】安全ベルトに使用し、モンキーレンチのヘッド部分を円柱、厚みは少々とし、包み込むように収めることにより、ヘッド部分が下になり、柄が上になるため柄の形状に影響をうけない。【選択図】図１
0003115709.tif 000002
【実用新案登録請求の範囲】
【請求項１】
安全帯（ベルト）に装着するモンキーレンチホルダーである。外枠の中に回転する中枠を設けストッパーを使用することにより、モンキーレンチのヘッド部分を固定するものである。
【考案の詳細な説明】
【技術分野】
【０００１】  本考案は、安全帯（ベルト）に装着するモンキーレンチホルダーである。
【背景技術】
【０００２】  現在のホルダーではモンキーレンチの柄が、太くなったり形状が変わるなど、デザイン等により、柄にホルダーが適応できないところがある。
【考案の開示】
【考案が解決しようとする課題】
【０００３】  現行モデルの柄が収まるモンキーレンチホルダーでは、柄の変化に対応しきれなくなっている。これを解決するためには、ヘッド部分を収めるホルダーがあってもよいのではないか。
【課題を解決するための手段】
【０００４】  本考案は、モンキーレンチの柄を収めるホルダーからヘッド部分を収めるホルダーにすることにより、モンキーレンチの柄の変化に対応できない状態をヘッド部分を収めることにより、柄の変化に対応するものである。
【考案の効果】
【０００５】  上述の様に、本考案のオウム貝ホルダーは、モンキーレンチのヘッド部分をホルダーへ収めることにより、柄のデザインや変化に影響を受けないものである。
【考案を実施するための最良の形態】
【０００６】  本考案は、組立てやコストを考えると最良の形態といえるのは、ベルトホルダーと外枠が決まった角度の開きと上下の方向により固定されたものが最もよいと考える。あえて取り外し、左右どちらにでも取り付けできるように考案しているのは、選択の範囲を広く使う人の立場でこの形態を採用したものである。
【実施例】
【０００７】  本考案は、以下の添付図面により実施例を説明する。
▲１▼の安全ベルトホルダーは、プラスチックまたは金属、ここでは金属を使用したい。
▲２▼の外枠は、プラスチック等、▲３▼の中枠もプラスチック等同様とする。【０００８】  この考案のオウム貝ホルダーは、安全ベルトに通しモンキーレンチのヘッド部分を収めるものである。▲１▼の安全ベルトホルダーは安全ベルトに固定される、▲２▼の外枠は▲３▼の中枠のレバーＤ部とモンキーレンチの柄を一緒に握ることにより歯止めが解除され上から歯に沿って横下に下げることでモンキーレンチを抜くことが出来る。【０００９】  ▲１▼の安全ベルトホルダーは、外枠を取り付けるさいに、上部が下部よりベルト側に寄るように作る、尚、横にａ−７を中心に動かす。【００１０】  図３の角度調整板によりモンキーレンチを外枠に収めるさいに真横に口があると他のホルダーにある工具と接触する虞があるために、外枠の口が横にあるさいはベルト（人側）から離れるように多少の角度を開いてある。【００１１】  モンキーレンチを上に上げるさいには多少なりとベルト寄りに角度をつけてある為モンキーレンチの柄は人の側に寄り近づく。【００１２】  ▲１▼の安全ベルトホルダーは安全ベルトに通して使用する。図２のａ−１は角度調整板上部取付け金具で（ａ−２下部）ａ−６はネジ溝付でａ−７ネジを直接ねじ込む、ａ−１はａ−２より長さが短くつくられている。【００１３】  図１４のａ−１４は、ａ−７により中心から左右に角度を開くさいに重要な役割をはたす、この角度が決まった時点で、ａ−７、ａ−７’を強く締める。【００１４】  図１の▲３▼中枠は、Ｄ部ストッパーと中枠固定板Ｃと付属▲４▼等からなる。【００１５】  図１の▲３▼中枠に▲４▼等、これは図１６、１７など水や腐食に強くモンキーレンチの大きさ等により対応できることが第一で、スポンジやプラスチックなど状態に応じて選択または付属品を付けづにすませるなど多種多様である。【００１６】  図１▲３▼中枠を▲２▼外枠の歯形開口部から中にいれ、図１０のＣ中枠固定板を左右に一つずつ、ｃ−１の突起をｃ−３にセット、ｃ−４の中心口にはｃ−２の中心軸が▲２▼外枠から出る、ｃ−５平ワッシャーにより隙間を調整してｃ−６中心軸止を取付ける。【００１７】  図１▲２▼外枠を▲１▼安全ベルトホルダーに取付けする、この際図２のａ−８開口部分から図４のａ−１０開口に、▲２▼の図８、９のｂ−３溝ネジがセットされ図１４ａ−１５により安全ベルトホルダーと一体になる。【００１８】  図１５はＤ部ストッパーの拡大図でありｄ−２のストッパー柄がｄ−３側に握られることによりｄ−１の歯止め器具が歯から浮き離れると同時にｄ−１１が歯の上を音をたてて滑るｄ−９、ｄ−１０は元の位置にもどるためにはたらく。
【図面の簡単な説明】
【００１９】
【図１】本考案のオウム貝ホルダーの実施例を示す平面図である。
【図２】安全ベルトホルダーの角度調整板を取外した平面図である。
【図３】安全ベルトホルダー、角度調整板の取付け時の側面図である。
【図４】安全ベルトホルダー、角度調整板の取付け時の平面図である。
【図５】外枠左部分の平面図である。
【図６】外枠の側面図である。
【図７】外枠右部分の平面図である。
【図８】外枠固定板の平面図である。
【図９】外枠固定板の側面図である。
【図１０】中枠固定板の平面図である。
【図１１】中枠固定板の側面図である。
【図１２】中枠の平面図である。
【図１３】中枠の側面図である。
【図１４】角度調整板と上部、下部金具展開図である。
【図１５】Ｄ部、ストッパー部の展開図である。
【図１６】中枠補助金具である。
【図１７】中枠補助金具である。
【符号の説明】
【００２０】▲１▼    安全ベルトホルダー              ｂ−１    開口
▲２▼    外枠                            ｂ−２    開口
▲３▼    中枠                            ｂ−３    突起部メスネジ溝つき
▲４▼    補助器具                        ｂ−４    モンキーレンチ止
▲４▼’  補助器具                        ｃ−１    突起部
Ａ        歯形ストッパー                  ｃ−２    中心軸
Ｂ        外枠固定板                      ｃ−３    開口
Ｃ        ストッパー部                    ｃ−４    開口
ａ−１    角度調整板上部押え金具          ｃ−５    調整平ワッシャー
ａ−２    角度調整板下部押え金具          ｃ−６    中心軸止
ａ−３    角度調整板                      ｄ−１    歯止め器具
ａ−４    ナットワッシャー                ｄ−２    ストッパーレバー
ａ−５    ネジ                            ｄ−３    ストッパー部本体
ａ−６    溝ネジメス                      ｄ−４    軸
ａ−７    ネジ                            ｄ−５    止突起
ａ−７’  ネジ                            ｄ−６    止突起
ａ−８    開口部                          ｄ−７    軸
ａ−９    開口                            ｄ−８    止突起
ａ−１０  開口                            ｄ−９    バネハガネ
ａ−１１  開口                            ｄ−１０  バネハガネ
ａ−１２  開口                            ｄ−１１  スベリ部
ａ−１３  開口                            ｅ−１    ネジ
ａ−１４  曲線開口                        ｅ−２    ナット
ａ−１５  ネジ                            ｅ−３    開口
【図１】
0003115709.tif 000003
【図２】
0003115709.tif 000004
【図３】
0003115709.tif 000005
【図４】
0003115709.tif 000006
【図５】
0003115709.tif 000007
【図６】
0003115709.tif 000008
【図８】
0003115709.tif 000009
【図９】
0003115709.tif 000010
【図１０】
0003115709.tif 000011
【図１１】
0003115709.tif 000012
【図１２】
0003115709.tif 000013
【図１３】
0003115709.tif 000014
【図１４】
0003115709.tif 000015
【図１５】
0003115709.tif 000016
【図１６】
0003115709.tif 000017
【図１７】
0003115709.tif 000018
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
モンキーレンチヘッド部を納めるホルダーであって、
（１）厚みのある円盤の形状で内部は空洞、円盤は円の中心から均等に三等分した１／３が開口部となり開口の両側には同じ位置から山形の歯形で間隔が同じ歯形の歯形ストッパーを有し、この歯形ストッパーの終わりにはこぶ状の膨らみであるモンキーレンチ止めを設け、円盤の両面では円の中心に中心軸が通る開口、及びこの円の中心から四方に９０度ずつ同じ距離に正方形の開口を設け、この正方形の開口の一辺は正方形の中心から円の中心をとおり正方形の中心に線をひきこの線に平行とし両面を統一する外枠、
（２）外枠の正方形の開口に取付けられ、外枠開口部から中に入るようにＣ形にカットされた金属板であって、その外円は外枠内部の円に収まりＣ形の内円は中枠の中枠固定板が収まる膨らみより大きくしてあり、側面にメスネジ溝付き突起を三個有し、この突起部以外の金属板の厚みは中枠の中枠固定板を納める膨らみに同じであって、メスネジ溝付き突起は外枠の左右両面どちらでも収まり、中枠の膨らみに影響されない外枠固定板、
（３）円盤状で厚さは中枠の中枠固定板が収まる膨らみの厚さに同じで円の中心には中心軸、円の中心から四方に９０度ずつ同じ距離に円柱の突起部を有し、この四つの突起部は中枠の厚みと同じであって、中心軸先端は切り込みの溝を有し、この溝の調整平ワッシャーとワッシャー一枚ほどの遊びを入れた中枠固定板までの長さは中枠の厚みと外枠の厚み分である中枠固定板
（４）外枠固定板のＣ形と同じく肉厚のある円盤で、その外円は外枠内部の円より小さく厚みも外枠に収まる寸法であって、中枠固定板を納める膨らみを有する円を残して１／３より少し広めにカットして両面均一となるような空洞を造り、両面同じ構造を有するストッパー部も備え、中枠の空洞の内円と外円の肉厚は同じでストッパー部のモンキーレンチ固定板は中枠内円から厚く強固な形をなす中枠、
（５）ストッパーは、末端開口におく歯止め器具を外枠の歯形ストッパー両面に噛ませ、モンキーレンチ固定板にモンキーレンチの柄を載せてレバーを握ることで歯形器具の先端が起こされ歯形ストッパーから上に上がり同時にスベリ部が滑らかに接触し、握った状態でモンキーレンチ止めに当たるまでモンキーレンチの柄を持ち上げるとスベリ部が歯形ストッパーに接触し、握りを放すことで歯止め器具がもとにもどり歯形ストッパーと噛み合うように形成されたストッパー、
（６）中枠のモンキーレンチヘッドが収まる枠の底にネジ穴をつけて取り付けてあり、簡単な口の開いたクリップ形でモンキーレンチヘッドを挟む補助金具、
（７）平板形状で長方形の形と、その上に安全ベルトを通す為二つのベルトを通す長方形の開口を側面にもつ構造からなり、この安全ベルトを通すところにより人との位置関係は大体平行となり、平板状の長方形の面で人の体に接しない面を表面とし、この面の長方形の長い辺間の中心線を基本に正方形の開口を上下二つ、互いの開口距離が外枠固定板のＣ形の両端にある二つの突起部メスネジ溝付の距離に同じとなるよう設け、一方の正方形の開口は後述する角度調整板下部押さえ金具が末端に収まる位置でその両側に角度調整板下部押さえ金具を留めるネジを通す穴を円で開口し、他方の正方形の開口は上にあきこの開口から両側に角度調整板上部押さえ金具を留めるネジを通す穴を円で開口し、この開口にネジ、ナットを使い角度調整板上部押さえ金具を固定する安全ベルトホルダー
（８）安全ベルトホルダーと固定された面に垂直に立つ板面の側面は曲面となり安全ベルトホルダーの中心線をもとにネジきりをしたメスネジ穴を持つ角度調整板上部押さえ金具と、これと同様の形状であるが高さがありネジ穴が二つになる所だけ異なる末端の角度調整板下部押さえ金具と、長方形の平板で長方形の短い両辺が直角に曲がったコの字型で長い辺と辺との中心線を基準線として直角面にも適応し、直角と直角間は角度調整板上部押さえ金具の直角面と角度調整板下部押さえ金具の直角面の外面と外面の距離とし、中心線の中間に中枠固定板の中心軸がそっくり収まる円の開口を設け、この開口をもとに外枠固定板の突起部メスネジ溝付の位置を中心線上に設けここに取付けるボタンネジのネジ部分が通る円の開口を上下に一つずつ設け、コの字の直角部分は角度調整板押さえ金具と同じで両方とも曲面の形状になり角度板上部押さえ金具に被る面は中心線に沿ってネジを通す円開口が一つあり、これに対して角度調整板下部押さえ金具の曲面は角度調整板上部押さえ金具よりも高く中心線から直角にある線上にネジが通る円の開口が二つ、この円開口の間隔は角度調整板下部押さえ金具の直角曲面の二つのネジ穴に同じで角度調整板から直角に立ち上がる最初のネジ穴はネジ部分が通る円開口で次に位置するネジ部分開口は最初の円開口部を中心に面からでない程度にネジ部分が通るぐらいの開口曲線を設けた角度調整板、
以上の構造からなり、
中枠の内側から中枠固定板を表面に一つ裏面に一つ中枠固定板の中心軸が中枠の中心開口を通って外枠の中心の開口に出るように中枠を外枠に収め、中枠固定板の四つの突起部を中枠にセットし、中心軸に調整平ワッシャーと中心軸止めを取り付けることにより中枠が外枠にセットされるようにし、さらに、角度調整板上部押さえ金具と角度調整板下部押さえ金具に角度調整板を被せて、角度円開口部からボタンネジで角度調整板上部押さえ金具の溝ネジメス、及び角度調整板下部押さえ金具の曲線開口に軽く締めた後、外枠固定板のＣ形両端のメスネジ溝付き突起を外枠の正方形開口をとおして角度調整板のネジ穴円開口にあわせ、安全ベルトホルダーの正方形の開口部からネジを通して二ヶ所の正方形でネジを完全に留めたことを特徴とするモンキーレンチヘッド部を納めるホルダー。
【手続補正２】
【補正対象書類名】図面
【補正対象項目名】図６
【補正方法】変更
【補正の内容】
【図６】
0003115709.tif 000019
【手続補正３】
【補正対象書類名】図面
【補正対象項目名】図７
【補正方法】変更
【補正の内容】
【図７】
0003115709.tif 000020
【手続補正４】
【補正対象書類名】図面
【補正対象項目名】図１２
【補正方法】変更
【補正の内容】
【図１２】
0003115709.tif 000021
【手続補正５】
【補正対象書類名】明細書
【補正対象項目名】００２０
【補正方法】変更
【補正の内容】
【００２０】▲１▼    安全ベルトホルダー            ｃ−３    開口部
▲２▼    外枠                          ｃ−４    開口部
▲３▼    中枠                          ｃ−５    調整平ワッシャー
▲４▼    補助器具                      ｃ−６    中心軸止
▲４▼′  補助器具                      ｃ−７    モンキーレンチ固定板
Ａ        歯形ストッパー                ｃ−８    レバー
Ｂ        外枠固定板                    ｄ−１    歯止め器具
Ｃ        中枠固定板                    ｄ−２    ストッパー
Ｄ        ストッパー部                  ｄ−３    ストッパー部本体
ａ−１    角度調整板上部押え金具        ｄ−４    軸
ａ−２    角度調整板下部押え金具        ｄ−５    止突起
ａ−３    角度調整板                    ｄ−６    止突起
ａ−４    ナットワッシャー              ｄ−７    軸
ａ−５    ネジ                          ｄ−８    止突起
ａ−６    溝ネジメス                    ｄ−９    バネハガネ
ａ−７    ネジ                          ｄ−１０  バネハガネ
ａ−８    開口部                        ｄ−１１  スベリ部
ａ−９    開口部                        ｅ−１    ネジ
ａ−１０  開口部                        ｅ−２    ナット
ａ−１１  開口部                        ｅ−３    開口部
ａ−１２  開口部
ａ−１３  開口部
ａ−１４  曲線開口部
ａ−１５  ネジ
ｂ−１    開口
ｂ−２    開口
ｂ−３    突起部メスネジ溝つき
ｂ−４    モンキーレンチ止
ｃ−１    突起部
ｃ−２    中心軸